(57)【要約】      （修正有）【課題】レンズキャップを取り外さなくても直接開閉を達成でき、遮光カバー機能を兼ね備えるレンズキャップを提供する。【解決手段】レンズキャップは、取り外し可能な方式で光学器材のレンズ上に設置する固定リング２０、該固定リング２０上に可動状に設置する一対の連動棒組、固定リング２０上に軸方向にスライド状に設置する貫通状のスライドカバー５０を備え、一対の連動棒組は固定リング２０の任意の直径の両端に位置し、しかも一対の連動棒組は遮蔽構造４０上に同時に可動状に設置し、遮蔽構造４０はスライドカバー５０上に可動状に接続し、スライドカバー５０が固定リング２０に相対して軸方向に往復移動する時、連動棒組を利用して対応する遮蔽構造４０を連動し、遮蔽構造４０は固定リング２０に相対して行ったり来たりのスイング運動を行い、こうしてレンズキャップの開放を達成し、これにより光線はレンズ中に入り撮影ができるようになる。【選択図】図１
0003174447.tif 000002
【実用新案登録請求の範囲】
【請求項１】
取り外し可能な方式で、光学器材のレンズ上に設置する固定リング、前記固定リング上に可動状に設置する一対の連動棒組、前記固定リング上に軸方向にスライド状に設置する貫通状のスライドカバーを備え、
前記一対の連動棒組は、前記固定リングの任意の直径の両端に位置し、しかも前記一対の連動棒組は、遮蔽構造上に同時に可動状に設置し、
前記遮蔽構造は、前記スライドカバー上に可動状に接続し、
前記スライドカバーが、前記固定リングに相対して軸方向に往復移動する時、前記連動棒組を利用して、対応する遮蔽構造を連動し、前記遮蔽構造は、前記固定リングに相対して行ったり来たりのスイング運動を行い、
こうして、レンズキャップの開放を達成し、これにより光線は前記レンズ中に入り、撮影ができるようになり、
或いは、レンズキャップを閉じ、レンズ保護の目的を達成することを特徴とするレンズキャップ。
【請求項２】
前記固定リングの周縁には、２個のT型槽を形成し、
前記２個のT型槽は、前記固定リングの任意の直径の両端に位置し、
前記２個の凹槽は、前記固定リングの端面にそれぞれ形成し、対応するT型槽方向と、それぞれ相互に通じることを特徴とする請求項１に記載のレンズキャップ。
【請求項３】
前記スライドカバーは、前記レンズ一端の内壁上に、２個の連接板を固定して設置し、
前記２個の連接板は、前記スライドカバーの任意の直径の両端に位置し、
前記２個の連接板の内側には、それぞれ１個の凹槽を形成し、
前記スライドカバーの内壁上には、２組のスライドレールを設置し、
前記各スライドレールは、対応する連接板の下方に位置し、
前記スライドカバーは、前記固定リングの一端に相対し、内縮する嵌接部を形成し、
前記嵌接部は、前記連動棒組の端部において係合することができ、これにより前記スライドカバーの軸方向の移動量を制限することを特徴とする請求項１或いは２に記載のレンズキャップ。
【請求項４】
前記遮蔽構造は、２個の蓋板を備え、
前記２個の蓋板の外側には、一対の可動つまみをそれぞれ設置し、
前記一対の可動つまみは、対応する連接板凹槽の側壁上に可動状に設置し、しかも前記各可動つまみ中には、収容設置槽を形成することを特徴とする請求項３に記載のレンズキャップ。
【請求項５】
前記連動棒組は、対応するスライドレール中にスライド状に設置する第一連動棒を備え、前記第一連動棒の第一端と第二端は、横棒と可動接続ブロックをそれぞれ形成し、
前記横棒は、対応するT型槽中に係合し、
これにより、前記連動棒組は、前記遮蔽構造及び前記スライドカバーに従い、前記固定リング上から脱落することを、回避することができ、
前記可動接続ブロックには、第二連動棒を可動状に設置し、
前記第二連動棒は、その形態により、オス構造の第一可動接続部とメス構造の第二可動接続部に区分され、
前記第一可動接続部は、前記蓋板の収容設置槽中に挿入して、可動状に接続され、
前記第二可動接続部は、前記可動接続ブロックの両側に嵌めて、可動状に接続されることを特徴とする請求項４に記載のレンズキャップ。
【請求項６】
前記固定リング上には、２個の凹槽を軸方向に形成し、
前記２個の凹槽は、前記固定リングの任意の直径の両端にそれぞれ位置し、
しかも、前記固定リング上には、前記各凹槽の両端にそれぞれ相対し、第一可動つまみ、第二可動つまみをそれぞれ延伸して設置し、
前記固定リング周縁は、前記各凹槽位置に相対して、円弧状の弾力片を形成することを特徴とする請求項１に記載のレンズキャップ。
【請求項７】
前記スライドカバー内壁上には、２個の連接板を固定して設置し、
前記２個の連接板は、前記スライドカバーの同一中心線の両端に位置し、
前記各連接板の両端には、可動接続ブロックをそれぞれ設置し、
前記２個の可動接続ブロック間には、凹槽を形成し、
前記スライドカバー内壁上の、前記各連接板に相対する中心位置には、スライド槽を軸方向に形成し、
前記各スライド槽底面の両端には、第一凹部、第二凹部をそれぞれ形成し、
前記固定リング上の弾性片は、対応するスライド槽中にスライド状に設置し、しかも前記弾性片の端部は、前記第一凹部、或いは前記第二凹部中に、選択的に係合することを特徴とする請求項６に記載のレンズキャップ。
【請求項８】
前記遮蔽構造は、内側に位置する第一蓋板、及び外側に位置する第二蓋板を備え、
前記第一蓋板の外側の両端は、前記第二蓋板内側の両端上に、それぞれ横方向に可動状に設置され、
前記第一蓋板の中心位置には、構造が相同な２個の可動つまみを延伸して設置し、
前記第二蓋板外側の両端には、第一可動接続槽をそれぞれ形成し、
前記２個の第一可動接続槽間には、連接ブロックを形成し、
前記連接ブロックの両端には、第二可動接続槽をそれぞれ形成し、
前記連接板の２個の可動接続ブロックは、対応する第一可動接続槽中に、横方向に、可動状に設置することを特徴とする請求項７に記載のレンズキャップ。
【請求項９】
前記連動棒組は、前記固定リングと前記第一蓋板にそれぞれ可動状に設置する第一連動棒、前記固定リングと前記第二蓋板にそれぞれ可動状に設置する第二連動棒を備え、
前記第一連動棒の第一端は、前記固定リング上の対応する凹槽の底部に、横方向に可動状に設置し、
前記２個の第二連動棒の第一端は、前記固定リング上の対応する第一可動つまみと第二可動つまみに、それぞれ横方向に可動状に設置し、
前記第二連動棒の第二端は、相対する第二蓋板の第一可動接続槽と第二可動接続槽中に、それぞれ横方向に可動状に設置し、
前記第二蓋板と２個の第二連動棒の可動接続線は、それと前記連接板との可動接続線に相対し、内側に相対することを特徴とする請求項８に記載のレンズキャップ。
【考案の詳細な説明】
【技術分野】
【０００１】
本考案はレンズキャップに関し、特に取り外さなくても連動棒を利用して連動し、直接開閉を達成でき、遮光カバー機能を兼ね備えるレンズキャップに関する。
【背景技術】
【０００２】
周知のように、レンズは、カメラの最も重要な構成部材の一つである。
レンズの良し悪しが、撮影作品の品質に直接の影響を及ぼす。
そのため、一般のカメラは使用しない時には、通常はレンズの前端に、レンズキャップを設置して蓋をし、これによりレンズに傷をつけないようにする。
【０００３】
従来のレンズキャップはみな、係合の方式により、レンズと結合し、カメラの使用前にそれを取り外す。
しかし、レンズキャップは大きくはないため、しばしば紛失の状況が発生し、非常に不便である。
そのため、レンズキャップを細い紐でレンズに連接する人もいる。
しかしこれにより、撮影の過程全体を通して、レンズキャップは、カメラの前方でゆらゆら揺れるため、被写体の集中力を削いでしまいやすい。
これでは、撮影者は、被写体の瞬間的な最も美しい姿をつかむことは難しい。
本考案は、従来のレンズキャップの上記した欠点に鑑みてなされたものである。
【考案の概要】
【考案が解決しようとする課題】
【０００４】
本考案が解決しようとする課題は、レンズキャップを取り外さなくても連動棒を利用して連動し、直接開閉を達成でき、遮光カバー機能を兼ね備えるレンズキャップを提供することである。
【課題を解決するための手段】
【０００５】
上記課題を解決するため、本考案は下記のレンズキャップを提供する。
レンズキャップは、取り外し可能な方式で、光学器材のレンズ上に設置する固定リング、該固定リング上に可動状に設置する一対の連動棒組、該固定リング上に軸方向にスライド状に設置する貫通状のスライドカバーを備え、
該一対の連動棒組は、該固定リングの任意の直径の両端に位置し、しかも該一対の連動棒組は、遮蔽構造上に同時に可動状に設置し、
該遮蔽構造は、該スライドカバー上に可動状に接続し、
該スライドカバーが、該固定リングに相対して軸方向に往復移動する時、該連動棒組を利用して、対応する遮蔽構造を連動し、該遮蔽構造は、該固定リングに相対して行ったり来たりのスイング運動を行い、
こうして、レンズキャップの開放を達成し、これにより光線は該レンズ中に入り、撮影ができるようになり、
或いは、レンズキャップを閉じ、レンズ保護の目的を達成し、
本考案が完全に開いた状態を呈する時には、該スライドカバーは該レンズの前端へとスライド移動するため、撮影時には、遮光カバーとして使用でき、
よって、本考案が閉じた状態である時の機能は、レンズキャップで、
本考案が、開いた状態である時には、その機能は遮光カバーで、
本考案は、レンズキャップと遮光カバーの機能を一体に結合することで、非常に独創的で高度な構造を達成することができる。
【考案の効果】
【０００６】
本考案のレンズキャップは、取り外さなくても連動棒を利用して連動し、直接開閉を達成でき、また遮光カバー機能を兼ね備える。
【図面の簡単な説明】
【０００７】
【図１】本考案第一実施例の立体外観図である。
【図２】本考案第一実施例の立体分解図である。
【図３】本考案第一実施例の閉じた状態を示す断面図である。
【図４】本考案第一実施例の第一動作模式図である。
【図５】本考案第一実施例の第二動作模式図である。
【図６】本考案第一実施例の開いた状態を示す断面図である。
【図７】本考案第二実施例の立体外観図である。
【図８】本考案第二実施例の部分立体分解図である。
【図９】本考案第二実施例の閉じた状態を示す断面図である。
【図１０】本考案第二実施例の動作模式図である。
【図１１】本考案第二実施例の開いた状態を示す断面図である。
【考案を実施するための形態】
【０００８】
以下に図面を参照しながら本考案を実施するための最良の形態について詳細に説明する。
【０００９】
連動棒を利用して直接連動し、開閉機能を達成する本考案のレンズキャップは、図１〜３に示すように、取り外し可能な方式で、光学器材のレンズ１０上に設置する固定リング２０、固定リング２０上に可動状に設置する一対の連動棒組３０、固定リング２０上に軸方向にスライド状に設置する貫通状のスライドカバー５０を備える。
【００１０】
一対の連動棒組３０は、固定リング２０の任意の直径の両端に位置し、しかも一対の連動棒組３０は、遮蔽構造４０上に同時に可動状に設置し、固定リング２０上の貫通スライドカバー５０に軸方向にスライド状に設置する。
遮蔽構造４０は、スライドカバー５０上に可動状に接続する。
これにより、スライドカバー５０が、固定リング２０に相対して軸方向に往復移動する時、連動棒組３０を利用して、対応する遮蔽構造４０を連動し、遮蔽構造４０は、固定リング２０に相対して行ったり来たりのスイング運動を行う。
こうして、レンズキャップの開放を達成し、これにより光線はレンズ１０中に入り、撮影ができるようになり、或いはレンズキャップを閉じ、レンズ保護の目的を達成することができる。
【００１１】
固定リング２０の周縁には、２個のT型槽２１を形成する。
２個のT型槽２１は、固定リング２０の任意の直径の両端に位置する。
２個の凹槽２２は、固定リング２０の端面にそれぞれ形成し、対応するT型槽２１径方向と、それぞれ相互に通じる。
【００１２】
スライドカバー５０は、レンズ１０一端の内壁上に、２個の連接板５１を固定して設置する。
２個の連接板５１は、スライドカバー５０の任意の直径の両端に位置する。
２個の連接板５１の内側には、それぞれ１個の凹槽５１１を形成する。
スライドカバー５０の内壁上には、２組のスライドレール５２を設置する。
各スライドレール５２は、対応する連接板５１の下方に位置する。
スライドカバー５０は、固定リング２０の一端に相対し、内縮する嵌接部５３を形成する。
嵌接部５３は、連動棒組３０の端部において係合することができ、これによりスライドカバー５０の軸方向の移動量を制限することができる。
【００１３】
遮蔽構造４０は、２個の蓋板４１を備える。
２個の蓋板４１の外側には、一対の可動つまみ４１１をそれぞれ設置する。
一対の可動つまみ４１１は、対応する連接板５１凹槽５１１の側壁上に可動状に設置する。
しかも、各可動つまみ４１１中には、収容設置槽４１２を形成する。
【００１４】
連動棒組３０は、対応するスライドレール５２中にスライド状に設置する第一連動棒３１を備える。
第一連動棒３１の第一端と第二端は、横棒３１１と可動接続ブロック３１２をそれぞれ形成する。
横棒３１１は、対応するT型槽２１中に係合する。
これにより、連動棒組３０は、遮蔽構造４０及びスライドカバー５０に従い固定リング２０上から脱落することを、回避することができる。
可動接続ブロック３１２には、第二連動棒３２を可動状に設置する。
第二連動棒３２は、その形態により、オス構造の第一可動接続部３２１とメス構造の第二可動接続部３２２に区分される。
第一可動接続部３２１は、蓋板４１の収容設置槽４１２中に挿入して、可動状に接続される。
第二可動接続部３２２は、可動接続ブロック３１２の両側に嵌めて、可動状に接続される。
【００１５】
図１〜３に示すように、スライドカバー５０が、レンズ１０の周縁を取り囲むと、遮蔽構造４０の２個の蓋板４１は、相互に水平に接触する。
これにより、レンズ１０の閉鎖と、レンズ１０保護の目的を達成し、しかも各第一連動棒３１の可動接続ブロック３１２は、局部が、対応する固定リング２０上の凹槽２２中に収容されて係合する。
【００１６】
同時に、図３、４に示すように、スライドカバー５０が最初に前へとスライド移動を始めた時には、連動棒組３０と遮蔽構造４０とは、スライドカバー５０と一緒に移動するが、この時、レンズキャップは、なお閉じた状態を呈する。
【００１７】
次に同時に、図２、４、５に示すように、第一連動棒３１の横棒３１１が、固定リング２０のT型槽２１に係合すると、第一連動棒３１は、固定リング２０に相対して移動することができなくなる。
この時、スライドカバー５０が移動を継続すると、第一連動棒３１は、第二連動棒３２に対して、相対する力を提供する。
これにより、第二連動棒３２は、対応する蓋板４１に対して下向きの力を提供し、さらに蓋板４１が連接板５１に可動状に接続するため、蓋板４１は、そのピボットを中心として、レンズ１０へと偏り、レンズキャップを徐々に開放するという目的を達成することができる。
【００１８】
図６に示すように、スライドカバー５０の嵌接部５３が、横棒３１１の端部に接触する時、レンズキャップは、完全に開いた状態を達成し、使用者は撮影作業を開始することができる。
撮影作業の完了時には、反対向きにスライドカバー５０を操作するだけで、レンズキャップを再度、もとの閉じた状態に戻すことができ、レンズ１０保護の目的を達成することができる。
【００１９】
上記したように、本考案は操作が容易である他、レンズキャップとレンズ１０の一体結合設計により、従来のレンズキャップの紛失し易く、使用が不便であるという欠点を確実に克服することができる。
さらに、本考案が完全に開放状態を呈する時には、スライドカバー５０は遮光カバーとして使用でき、遮光カバーを取り外す手順を省くことができる。
このように、レンズキャップと遮光カバーの設計は、非常に独創的である。
【００２０】
図７〜９に示すように、本考案の第二実施例では、レンズキャップは同様に、取り外し可能な方式で、光学器材レンズ１００上に設置する固定リング６０、固定リング６０上にそれぞれ可動状に設置する一対の連動棒組７０、固定リング６０上に軸方向にスライド状に設置する貫通スライドカバー９０を備える。
【００２１】
一対の連動棒組７０は、固定リング６０の任意の直径の両端に位置し、しかも一対の連動棒組７０は、遮蔽構造８０上に同時に可動状に設置する。
【００２２】
遮蔽構造８０は、スライドカバー９０上に可動状に接続する。
これにより、スライドカバー９０が、固定リング６０に相対して軸方向に往復移動する時、連動棒組７０を利用して、対応する遮蔽構造８０が連動し、遮蔽構造８０は、固定リング６０に相対して行ったり来たりのスイング運動を行う。
こうして、レンズキャップの開放を達成し、これにより光線はレンズ１００中に入り、撮影ができるようになり、或いはレンズキャップを閉じ、レンズ保護の目的を達成することができる。
【００２３】
固定リング６０上には、２個の凹槽６１を軸方向に形成する。
２個の凹槽６１は、固定リング６０の任意の直径の両端にそれぞれ位置する。
しかも、固定リング６０上には、各凹槽６１の両端にそれぞれ相対し、第一可動つまみ６２、第二可動つまみ６３をそれぞれ延伸して設置する。
固定リング６０周縁は、各凹槽６１位置に相対して、円弧状の弾性片６４を形成する。
【００２４】
スライドカバー９０内壁上には、２個の連接板９１を固定して設置する。
２個の連接板９１は、スライドカバー９０の同一中心線の両端に位置する。
各連接板９１の両端には、可動接続ブロック９１１をそれぞれ設置する。
２個の可動接続ブロック９１１間には、凹槽９１２を形成する。
スライドカバー９０内壁上の、各連接板９１に相対する中心位置には、スライド槽９０１を軸方向に形成する。
各スライド槽９０１底面の両端には、第一凹部９０２、第二凹部９０３をそれぞれ形成する。
固定リング６０上の弾性片６４は、対応するスライド槽９０１中にスライド状に設置し、しかもその端部は、第一凹部９０２、或いは第二凹部９０３中に、選択的に係合する。
【００２５】
遮蔽構造８０は、内側に位置する第一蓋板８１、及び外側に位置する第二蓋板８２を備える。
第一蓋板８１の外側の両端は、第二蓋板８２内側の両端上に、それぞれ横方向に可動状に設置される。
第一蓋板８１の中心位置には、構造が相同な２個の可動つまみ８１１を延伸して設置する。
第二蓋板８２外側の両端には、第一可動接続槽８２１をそれぞれ形成する。
２個の第一可動接続槽８２１間には、連接ブロック８２２を形成する。
連接ブロック８２２の両端には、第二可動接続槽８２３をそれぞれ形成する。
連接板９１の２個の可動接続ブロック９１１は、対応する第一可動接続槽８２１中に、横方向に、可動状に設置する。
【００２６】
連動棒組７０は、固定リング６０と第一蓋板８１にそれぞれ可動状に設置する第一連動棒７１、固定リング６０と第二蓋板８２にそれぞれ可動状に設置する第二連動棒７２を備える。
第一連動棒７１の第一端は、固定リング６０上の対応する凹槽６１の底部に、横方向に可動状に設置する。
第二連動棒７２の第一端は、固定リング６０上の対応する第一可動つまみ６２と第二可動つまみ６３に、それぞれ横方向に可動状に設置する。
第二連動棒７２の第二端は、相対する第二蓋板８２の第一可動接続槽８２１と第二可動接続槽８２３中に、それぞれ横方向に可動状に設置する。
第二蓋板８２と２個の第二連動棒７２の可動接続線は、それと連接板９１との可動接続線に相対し、内側に相対する。
【００２７】
図９〜１１に示すように、スライドカバー９０が、レンズ１００の周縁を取り囲むと、遮蔽構造８０の２個の蓋板８１、８２は、順番に相互に水平に接触する。
これにより、レンズ１００の閉鎖と、レンズ１００保護の目的を達成する。
この時、固定リング６０弾性片６４の端部は、スライドカバー９０の第一凹部９０２中に収容設置される。
スライドカバー９０が、固定リング６０に相対して、最初に前へとスライド移動を始めた時には、第一連動棒７１と第二連動棒７２の第一端は、固定リング６０上にそれぞれ制限される。
よって、第一連動棒７１と第二連動棒７２の第二端は、対応する第一蓋板８１と第二蓋板８２に対して、それぞれ相対引力を生じる。
これにより、第一蓋板８１と第二蓋板８２は、スライドカバー９０の内壁に向かいそれぞれ移動し、レンズキャップは徐々に開放される。
【００２８】
この時、固定リング６０の弾性片６４の端部は、スライドカバー９０のスライド槽９０１中に収容設置される。
スライドカバー９０が前方への移動を続け、しかも固定リング６０の弾性片６４の端部が、スライドカバー９０の第二凹部９０３に入る時、本考案は完全開放状態となり、使用者は撮影作業を開始することができる。
【００２９】
撮影作業の完了時には、反対向きにスライドカバー９０を操作するだけで、レンズキャップを再度、もとの閉じた状態に戻すことができ、レンズ１００保護の目的を達成することができる。
この時、スライドカバー９０は、レンズ１００の前端に完全に位置するため、撮影時には、遮光カバーとして使用でき、レンズキャップの付加価値を大幅に高めることができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３１】
１０    レンズ
１００  レンズ
２０    固定リング
２１    T型槽
２２    凹槽
３０    連動棒組
３１    第一連動棒
３１１  横棒
３１２  可動接続ブロック
３２    第二連動棒
３２１  第一可動接続部
３２２  第二可動接続部
４０    遮蔽構造
４１    蓋板
４１１  可動つまみ
４１２  収容設置槽
５０    スライドカバー
５１    連接板
５１１  凹槽
５２    スライドレール
５３    嵌接部
６０    固定リング
６１    凹槽
６２    第一可動つまみ
６３    第二可動つまみ
６４    弾性片
７０    連動棒組
７１    第一連動棒
７２    第二連動棒
８０    遮蔽構造
８１    第一蓋板
８１１  可動つまみ
８２    第二蓋板
８２１  第一可動接続槽
８２２  連接ブロック
８２３  第二可動接続槽
９０    スライドカバー
９０１  スライド槽
９０２  第一凹部
９０３  第二凹部
９１    連接板
９１１  可動接続ブロック
９１２  凹槽
【図１】
0003174447.tif 000003
【図２】
0003174447.tif 000004
【図３】
0003174447.tif 000005
【図４】
0003174447.tif 000006
【図５】
0003174447.tif 000007
【図６】
0003174447.tif 000008
【図７】
0003174447.tif 000009
【図８】
0003174447.tif 000010
【図９】
0003174447.tif 000011
【図１０】
0003174447.tif 000012
【図１１】
0003174447.tif 000013